(57)【要約】【課題】  封水部のぬめりや悪臭の発生を抑制できて、面倒な掃除作業の頻度を少なくすることができ、しかも給水栓開栓時の水力を利用して、外部から電力を供給することなく電極部に電圧を印加することができて、省エネルギー化を実現できる排水設備を提供する。【解決手段】  給水栓３から水が供給される水槽２又は床に排水路４２を連通接続する。排水路４２に設けた排水トラップ９の水を溜めるための封水部１９に電圧印加により殺菌成分を生成する電極部６を設ける。該電極部６の電源として前記給水栓３開栓時の水流を利用して発電する水力発電機５を設ける。【選択図】      図１
2005133315.tif 000002
【特許請求の範囲】
【請求項１】
給水栓から水が供給される水槽又は床に排水路を連通接続し、該排水路に設けた排水トラップの水を溜めるための封水部に電圧印加により殺菌成分を生成する電極部を設け、該電極部の電源として前記給水栓開栓時の水流を利用して発電する水力発電機を設けて成ることを特徴とする家庭用配管設備。
【請求項２】
上記水力発電機によって充電される充電部を設け、給水栓を閉栓した時点から所定時間経過後に、前記充電部から電極部へ電力を供給して該電極部の電圧印加を開始する制御手段を設けて成ることを特徴とする請求項１記載の家庭用配管設備。
【請求項３】
上記電極部への電圧印加が終了した時点から所定時間が経過するまで電極部への電圧印加を不可とする制御手段を設けて成ることを特徴とする請求項１又は請求項２記載の家庭用配管設備。
【請求項４】
上記排水トラップに水槽又は床から流れてきた排水を受け入れてこの排水を下端開口から封水部に排出する筒部を設け、封水部の前記筒部の下端開口に対向する位置に上記電極部を配設してなることを特徴とする請求項１〜３のいずれかに記載の家庭用配管設備。
【発明の詳細な説明】
【技術分野】
【０００１】
本発明は、流し台や、洗面台、浴室、トイレ等に利用される家庭用配管設備に関するものである。
【背景技術】
【０００２】
従来から知られているこの種の家庭用配管設備としては、例えば図６に示すように、図示しない給水栓から水が供給される流し台の水槽５１と、該水槽５１の底壁に設けた取付け孔部５２に連通接続した排水路と、排水路に設けた排水トラップ５０とを有するものが知られており、この排水トラップ５０は排水路を構成する排水管５３の一部をＳ字状に湾曲形成してなる封水部５４を有し、この封水部５４に溜めた水によって下水側の臭気が水槽側へ放散することを防止していた（例えば、特許文献１にはこの種の排水トラップが開示されている）。
【０００３】
また上記とは別の排水トラップとして図７に示すようなわん型の排水トラップ５５も知られている。この排水トラップ５５は排水路の上流側端部に設けられており、上端開口が排水口６１となった有底筒状部５６の底壁に下水側に連通する排水筒部５７を貫設してトラップ本体５８を形成し、封水カップ５９を排水筒部５７に被せるようにトラップ本体５８内に取付け、これにより有底筒状部５６の下部に封水部を形成したものである。
【０００４】
ところで上記図６や図７に示すような排水路に排水トラップを設けた家庭用配管設備は、給水栓閉栓時には常に排水トラップの封水部に水が溜められているため、菌やカビ、微生物等が繁殖し易く、これら微生物等の繁殖は封水部におけるぬめりや悪臭の原因となり、衛生的ではない。そこで排水トラップの封水部の掃除を定期的に行う必要があるのだが、この封水部の掃除は非常に面倒であるという問題がある。
【０００５】
また上記したものの他に、上記図６に示すようなＳ型の排水トラップの封水部内に電圧印加により殺菌成分を生成する電極部を設けた給水設備も知られており、このものは電極部に電圧を印加することで封水部内を殺菌し、これにより封水部のぬめりや悪臭の発生を抑制するものである（例えば特許文献２）。
【０００６】
しかし上記特許文献２に示すような家庭用配管設備にあっては、従来から封水部内の殺菌成分を生成する電極部の電源として外部電源や電池等の電力を用いており、このような封水部内の殺菌成分を生成する電極部を有する家庭用配管設備にあっては、電気エネルギーを無駄に消費してしまい、さらには給水栓開栓時に発生する水流のエネルギーも有効に利用されておらず浪費していた。
【特許文献１】実開平６−８７４７４号公報
【特許文献２】特開２００１−２３４５７８号公報
【発明の開示】
【発明が解決しようとする課題】
【０００７】
本発明は上記の従来の問題点に鑑みて発明したものであって、封水部のぬめりや悪臭の発生を抑制できて、面倒な掃除作業の頻度を少なくすることができ、しかも給水栓開栓時の水力を利用して、外部から電力を供給することなく電極部に電圧を印加することができて、省エネルギー化を実現できる排水設備を提供することを課題とするものである。
【課題を解決するための手段】
【０００８】
上記課題を解決するために本発明に係る排水設備は、給水栓３から水が供給される水槽２又は床に排水路４２を連通接続し、該排水路４２に設けた排水トラップ９の水を溜めるための封水部１９に電圧印加により殺菌成分を生成する電極部６を設け、該電極部６の電源として前記給水栓３開栓時の水流を利用して発電する水力発電機５を設けて成ることを特徴とするものである。
【０００９】
このように排水トラップ９の水を溜めるための封水部１９に電圧印加により殺菌成分を生成する電極部６を設け、該電極部６の電源として給水栓３開栓時の水流を利用して発電する水力発電機５を設けることで、水力発電機５により給水栓３開栓時の水力を利用して外部から電力を供給することなく電極部６に電圧を印可して封水部１９に殺菌成分を生成することができ、これにより殺菌成分によって封水部１９のぬめりや悪臭の発生を抑制できて面倒な掃除作業の頻度を少なくすることができ、しかも省エネルギー化を実現できる。
【００１０】
また上記水力発電機５によって充電される充電部を設け、給水栓３を閉栓した時点から所定時間ｔ１経過後に、前記充電部から電極部６へ電力を供給して該電極部６の電圧印加を開始する制御手段を設けることも好ましい。
【００１１】
このように給水栓３を閉栓した時点から所定時間ｔ１経過後に電極部６の電圧印加を開始するという制御を行うことで、封水部１９内に水が留まった状態にある給水栓３閉栓時にのみ電極部６への電圧印加を行うことができ、これにより電極部６により生成した殺菌成分を下水側に流出することなく封水部１９に留めることができて、電極部６により効率良くぬめりや悪臭の防止を行うことができ、また電極部６の電解動作時間を減らして、電極部６の電力不足や、電極部６の消耗等も防止できる。
【００１２】
また上記電極部６への電圧印加が終了した時点から所定時間ｔ４が経過するまでは電極部６への電圧印加を不可とする制御手段を設けることも好ましい。
【００１３】
このように電極部６への電圧印加が終了した時点から所定時間ｔ４が経過するまでは電極部６への電圧印加を不可とする制御を行うことで、電極部６の電解動作時間を更に減らすことができ、しかもこの場合、所定時間ｔ４内において給水栓３が閉栓された場合には水力発電機５により充電部の充電を行うことができ、上記により電極部６の電力不足、電極部６の消耗等を更に防止できる。
【００１４】
また上記排水トラップ９に水槽２又は床から流れてきた排水を受け入れてこの排水を下端開口から封水部１９に導入する筒部を設け、封水部１９の前記筒部の下端開口に対向する位置に上記電極部６を配設することも好ましい。
【００１５】
このように筒部の下端開口２１に対向する位置に電極部６を配設することで、電圧印加中の電極部６から発生する気泡を筒部の下端開口２１から上流側に抜くことができ、これにより電極部６から発生した気泡が封水部１９の下流側に抜けることを防止できて排水をスムーズに流すことができる。
【発明の効果】
【００１６】
本発明では、電極部により生成した殺菌成分により封水部のぬめりや悪臭の発生を抑制でき、且つ面倒な掃除作業の頻度を少なくすることができ、しかも省エネルギー化を実現できる。
【発明を実施するための最良の形態】
【００１７】
以下、本発明を添付図面に示す実施形態に基いて説明する。図１〜図４に本実施形態の家庭用配管設備であるキッチンの流し台１の説明図を示す。流し台１は図１に示すように上面部に上方に開口する水槽２（シンク）を有しており、また流し台１の上面には水槽２に水を供給する開閉自在の給水栓３（カラン）を設けている。給水栓３は流し台１内部に導入した給水路を構成する給水管４の下流側端部に連通接続してあり、該給水管４を介して図示しない給水元に連通している。
【００１８】
流し台１には給水管４の途中に設けた通水可能且つ回転自在な水車を有する水力発電機５を内装してあり、この水力発電機５は前記水車を用いて給水栓３の開栓時（使用時）における給水管４内の水流を利用して発電するものであって、後述する電極部６の電源となる。またこの水力発電機５はリード線４０を介して流し台１に内装した制御部７に電気的に接続してあり、水力発電機５で発電した電力を制御部７にて充電できるようにしている。
【００１９】
図２に示すように水槽２の底部には取付け孔部８を形成してあり、該取付け孔部８には、上流側の排水トラップ９及び下流側の排水管１１とで構成された排水路４２の上流側端部を連通接続している。即ち排水路４２の上流側端が水槽２の排水口となっている。排水トラップ９の下流側端部（即ち後述する接続管部１０の下流側端部）は流し台１内部に導入した排水管１１（図１参照）の上流側端部に着脱自在に連通接続してあり、排水管１１を介して下水側に連通している。
【００２０】
図２に示す上記排水トラップ９は取付け孔部８に陥入した状態で取付けたトラップ本体１２と、トラップ本体１２に着脱自在に取付けた漏斗状の封水筒１３とを有している。トラップ本体１２は上端が開口する有底円形容器状に形成してあり、該トラップ本体１２の上端開口が水槽２の排水口となっている。トラップ本体１２はその上端外周部である周壁１４の上端に周設したフランジ部１５を取付け孔部８の周縁部に形成したトラップ本体載置用の段部１６に載置すると共に、該フランジ部１５を取付けナット１７により取付け孔部８の周縁部に固定することで取付け孔部８に取付けられている。
【００２１】
トラップ本体１２の周壁１４には前記接続管部１０の上流側端部を連通接続した連通口部１８を設けてあり、トラップ本体１２の周壁１４における連通口部１８よりも上に位置する部分には封水筒１３の上端外周部を隙間なく着脱自在に取付けてあり、これにより連通口部１８よりも下に位置するトラップ本体１２及び封水筒１３の部分にて図２に示す水を溜めるための封水部１９を形成している。なお上記封水筒１９の取付けについては後に詳述する。
【００２２】
封水筒１３は上方に開口する上端開口２０と、下方に開口する下端開口２１とを有してあり、水槽２から流れてきた排水を上端開口２０より受け入れてこの受け入れた排水を下端開口２１より封水部１９に流出するものである。即ち本実施形態ではこの封水筒１３を筒部としている。この封水筒１３はトラップ本体１２の平面視中心部に配された下側の小径筒部２２と、該小径筒部２２とトラップ本体１２の周壁１４との間の空間Ａの上方を閉塞する上側の大径筒部２３とからなる。
【００２３】
小径筒部２２は主部を直管状に形成している。この小径筒部２２の下端は連通口部１８よりも下位で且つトラップ本体１２の底壁２４の上面よりも上位に配されており、トラップ本体１２の底壁２４の上面と封水筒１３の下端との間に隙間Ｂを形成している。また小径筒部２２の下端部はその内径及び外径が最下端側程拡径するようにラッパ口状に形成されている。
【００２４】
大径筒部２３の下端は小径筒部２２の上端に一体的に連通接続している。この大径筒部２３は下端から上方に行く程徐々に拡径するように傾斜しており、上端部は外方に突となる円弧状湾曲部２５となっている。また大径筒部２３と前述の小径筒部２２との接続部分である大径筒部２３と小径筒部２２とによって形成されるコーナー部２６も内方に突となる円弧状に湾曲形成されている。
【００２５】
上記封水筒１３のトラップ本体１２への取付けは、例えば図２に示すようにトラップ本体１２の周壁１４の連通口部１８よりも上に位置する部分に段部２７を周設すると共に、周壁１４の前記段部２７のやや上に位置する部分に内側方に突出する突片２８を設け、この段部２７と突片２８とによりトラップ本体１２の周壁１４に係止溝２９を形成し、他方、封水筒１３の上端部に外側方に突となる係止片３０を設け、この係止片３０を段部２７の上に配した後、封水筒１３を回転操作して係止片３０を係止溝２９に差し込むと共に、該係止片３０と係止溝２９との間をゴムやパッキン等のシール部材（図示せず）にてシールすることで行われる。なお封水筒１３をトラップ本体１２に取付ける手段としてはこれに限定されるものではなく、例えば、図示は省略するがトラップ本体１２の周壁１４の連通口部１８よりも上に位置する部分に載置用段部を周設し、封水筒１３の上端部に外側方に突となる鍔部を形成し、該鍔部をトラップ本体の載置用段部にシール部材を介して隙間なく載設してあるだけでも良く、また上記したようなシール部材を設けずに、封水筒１３の上端外周部をトラップ本体１２の内周部に密接した状態で着脱自在に取付けても良く、つまり、トラップ本体の周壁１２の内周部と封水筒１３の上端部の外周部との間に隙間がない状態で、封水筒１３をトラップ本体１２に着脱自在に取付けてあれば良いものとする。
【００２６】
トラップ本体１２の底壁２４における前記封水筒１３の下端開口２１に対向する部位には孔部を穿設してあり、該孔部にはトラップ本体１２の底壁２４の一部を構成する電極保持部材３２を水密的に設けている。図３に示すように電極保持部材３２の上端部はトラップ本体１２の底壁２４よりも上方に突出しており、この底壁２４よりも上方に突出する突面３２ａは中央部程上方に位置する曲面となっている。
【００２７】
上記電極保持部材３２には電圧印加により封水部１９に溜められた水の中に殺菌成分を電解生成する電極部６を設けてあり、この電極部６は封水筒１３の下端開口２１に対向している。この電極部６は一対の電極３３、３３からなり、両電極３３、３３の夫々の上端部は電極保持部材３２から上方に突出しており、隙間を介して配されている。即ち両電極３３、３３の夫々の上端部は封水部１９内に配されており、両電極３３、３３間の上端部間は封水部１９に溜められた水で満たされている。
【００２８】
ここで電極部６としては、電圧印加により電極３３を構成する元素が殺菌成分として溶出するものと、電圧印加により水に含まれる元素を酸化することによって殺菌成分を生成するもののどちらであっても良いものとする。具体的に電極部６としては、両電極３３、３３の内、一方の電極３３を陽極とし、他方の電極３３を陰極とし、電圧印加により電極部６にて封水部１９に溜められた水に含まれる塩素成分から殺菌成分である次亜鉛素酸を電解生成するものであっても良いし、また陽極となる電極３３を銀又は銀を含む金属により形成して銀電極とし、電圧印加により封水部１９内に殺菌成分である銀を溶出するものであっても良い。
【００２９】
そして上記両電極３３、３３の夫々のトラップ本体１２の外部に露出する下端は図１に示すようにリード線４１を介して前述の制御部７に電気的に接続してあり、両電極間３３、３３へ電圧を印加するか否かは制御部により制御されている。即ちこの制御部７は電極部６の動作を制御する制御手段と、前述の水力発電機５によって充電される充電部とを兼ねている。
【００３０】
また図２に示すようにトラップ本体１２の底壁２４と周壁１４によって形成されるコーナー部３４は外方に突となる円弧状に湾曲形成されており、円弧状のコーナー部３４の上端は封水筒１３の下端よりも上に位置している。なお、トラップ本体１２の底壁２４の上面はコーナー部３４と前記電極保持部材３２を除く全ての部分が水平な平坦面となるように形成されているものとする。
【００３１】
また図２中３５はトラップ本体１２内の上部に配設した網かごであり、この網かご３５はトラップ本体１２の周壁１４における前記段部２７よりもさらに上に位置する部分に形成した網かご載置用の段部３６に網かご３５の上端外周部である上端のフランジ部３７を載置することでトラップ本体１２に着脱自在に取付けられている。さらに図中３８は、スプーン等の小物が封水部内１９に落下することを防止し、且つ封水部１９が上方から見えないようにするためのフィルタであり、該フィルタ３８は封水部１９よりも上に位置する小径筒部２２内の上端部に取付けている。
【００３２】
上記構成を有する流し台１を利用する場合は、給水栓３に設けた図１中３９に示す操作ハンドルによって給水栓３を開栓し、給水栓３を使用状態とする。これにより給水管４内を流れる水は給水栓３より水槽２に流入し、この後、水槽２から、排水トラップ９、排水管１１と順に流れて下水側に排出される。ここで水槽２から排水トラップ９に流入した排水について詳述すると、この排水は封水筒１３の上端開口２０から封水筒１３内に流入し、この後、封水筒１３の下端開口２１より隙間Ｂに流入し、電極保持部材３２の突面３２ａにより下向きの流れが外周側の流れに整流された後、トラップ本体１２の底壁２４に沿って流れ、この後、トラップ本体１２の外周側に流れた水はコーナー部３４にて再び整流されて上向きの流れとなり、空間Ａを通って連通口部１８側へ流れ、そして連通口部１８から接続管部１０を介して下水側へ流出する。このように本実施形態では封水筒１３及びトラップ本体１２を排水の流れを妨げない形状に形成してあるため、排水トラップ本体１２に流入した排水をスムーズに下水側に流すことができる。そしてこの給水栓３開栓時においては、水力発電機５は給水管４内の水流を利用して発電して制御部７を充電する。
【００３３】
また操作ハンドル３９によって給水栓３を閉栓して給水栓３を未使用状態とした場合には、排水トラップ９の封水部１９には水が溜められた状態となり、この封水部１９に溜められた水により下水側の臭気が水槽２側へ放散することを防止している。
【００３４】
そして図４に示すように排水トラップ９に設けた電極部６は制御部７により上記給水栓３を閉栓した後に所定時間ｔ１が経過した時点で、前記制御部７に充電した電力を電極部６へ供給して電極部６への電圧印加を自動的に開始し、これにより電極部６は電解動作を開始する。具体的には、制御部７は給水栓３が開栓状態から閉栓された時点で待機タイマーのカウントを開始する。ここで給水栓３の開栓及び閉栓の検知は、例えば水力発電機５の水車の回転を検知する検知手段により検知しても良いし、また給水栓３に設けた給水栓３の開閉状態を検知するセンサのような検知手段により行っても良いし、またこの他従来から公知の種々の検知手段により行っても良いものとする。そして待機タイマーのカウントを開始した後に所定時間ｔ１が経過して待機タイマーがＯＦＦになった時点で、制御部７は制御部７に充電した電力を用いて電極部６への電圧印加を自動的に開始し、同時にＯＦＦタイマーのカウントを開始する。電極部６への電圧印加が開始されると電極部６は電解動作を開始して前述したように電極部６により封水部１９に殺菌成分が生成され、これにより封水部１９のぬめりや悪臭の発生を抑制できる。そして上記電極部６への電圧印加が開始された後に所定時間ｔ２が経過してＯＦＦタイマーがＯＦＦになった時点で、制御部７は電極部６への電圧印加を自動的に停止し、しかして電極部６の電解動作が停止して殺菌成分の生成が終了する。なお、上記給水栓３を閉栓した後の所定時間ｔ１内（即ち待機タイマーカウント中）において給水栓３が開栓された場合には、制御部７は所定時間ｔ１が経過しても電極部６への電圧印加を行わないように制御してあり、即ちこの待機タイマーカウント中において給水栓３が開栓された場合には、制御部７は待機タイマーをリセットし、給水栓３が再び閉栓された時点から待機タイマーのカウントを開始し、この待機タイマーがＯＦＦになった時点で電極部６への電圧印加を開始するものである。また電極部６への電圧印加中（即ちＯＦＦタイマーカウント中）に給水栓３が開栓された場合には、そのまま電極部６への電圧印加を所定時間ｔ２が経過するまで（即ちＯＦＦタイマーがＯＦＦになるまで）継続して行っても良いし、またこの場合、制御部７により電極部６への電圧印加を停止し、同時にＯＦＦタイマーをリセットしても良いものとする。
【００３５】
上記のように電極部６の電源を給水栓３開栓時の水流を利用して発電する水力発電機５としたことで、外部から電力を供給することなく電極部６への電圧印加を行うことができて、排水設備の省エネルギー化を実現できる。
【００３６】
また封水部１９を形成するトラップ本体１２の底壁２４における封水筒１３の下端開口２１に対向する位置に電極部６を配設することで、電圧印加中に電極部６から発生する気泡を封水筒１３の下端開口２１から排水口側に抜くことができ、これにより電極部６から発生した気泡が封水部１９の下流側である空間Ａの上方に抜けることを抑え、結果、排水管１１内の気圧が高くなることを防止できてより一層排水をスムーズに流すことができる。
【００３７】
また例えば給水栓３開栓時に電極部６に電圧印加を行った場合には、電極部６により生成した封水部１９内の次亜塩素酸や銀イオンなどの殺菌成分が下水側に流出してしまい、これにより電極部６による封水部１９のぬめりや悪臭の防止の効果が少なくなり、又は効果が消失してしまうという問題が生じるのだが、本実施形態では前述したように給水栓３開栓時には電極部６への電圧印加を停止すると共に水力発電機５によって制御部７を充電し、給水栓３閉栓時には電極部６への電圧印加を行うという制御を行っているため、封水部１９内に水が留まった状態にある時にのみ電極部６に電圧を印加でき、これにより効率良くぬめりや悪臭の防止を行うことができて電極部６の電力不足を防止できる。また例えば電極部６として前述したように陽極を銀電極としたものを用いた場合には、電極部６の電解動作に伴って銀電極から銀が溶出するのだが、本実施形態では上記のように電極部６の電解動作時間を減らすことができるため、銀電極の消耗を抑えて電極交換の頻度を減らすことができる。
【００３８】
ところで上記実施形態では、給水栓３を使用した場合に毎回電極部６への電圧印加を行うため、依然として電極部６の電力不足が生じたり、電極部６が消耗したりする場合がある。そこで次に上記実施形態とは異なる実施形態を図５に示す。なお以下では上記実施形態と同一の構成については同一の符号を付与してあり、上記実施形態と重複する説明については説明を省略する。
【００３９】
即ち本実施形態では図５に示すように電極部６への電圧印加が終了した時点から所定時間ｔ４が経過するまでは制御部７により電極部６への電圧印加を不可とする制御を行っている。具体的に制御部７は上記実施形態において電極部６への電圧の印加が開始された時点で、電圧印加不可タイマーのカウントを開始する。そして電圧印加不可タイマーのカウントが進み、前記電極部６への電圧の印加が開始された後に所定時間ｔ２が経過して電極部６への電圧の印加が停止した時点（即ちＯＦＦタイマーがＯＦＦになった時点）で、制御部７により電極部６への電圧の印加を不可とする制御を開始し、この電圧印加不可の制御中においては、給水栓３を開栓した後に閉栓したとしても、上記実施形態における制御、即ち、給水栓３を閉栓した後に所定時間ｔ１が経過した時点で電極部への電圧印加を自動的に開始するといった制御を行わないようにする。そして前記電極部６への電圧印加が開始された後に所定時間ｔ３（この場合所定時間ｔ３は所定時間ｔ２よりも長めに設定されており、つまり所定時間ｔ４は所定時間ｔ３から所定時間ｔ２を引いた値（ｔ４＝ｔ３−ｔ２）である）が経過して電圧印加不可タイマーがＯＦＦになった時点で、制御部７は電極部６への電圧の印加を不可とする制御を止めて、電極部６への電圧の印加を可能とする制御を行う。この電圧印加を可能とする制御中においては、図８中イに示すように給水栓３が開栓された後に閉栓された場合、上記と同じく給水栓３を閉栓した後に所定時間ｔ１が経過した時点で電極部６への電圧印加を自動的に開始する制御が行われ、以下、上記と同様の制御が繰り返し行われる。なお図５中ロに示すように、所定時間ｔ４が経過した時点（即ち電圧印加不可タイマーがＯＦＦになった時点）で給水栓３が開栓状態にある場合には、制御部７は該開栓状態にある給水栓３を閉栓した後に所定時間ｔ１が経過した時点で電極部６への電圧の印加を自動的に開始する制御を行い、以下上記と同様の制御が行われるものとする。また本実施形態では、所定時間ｔ４が経過した時点を、電極部６への電圧印加が開始された時点からカウントを開始して所定時間ｔ３でＯＦＦとなる電圧印加不可タイマーのＯＦＦにより検出したが、電極部６への電圧の印加が終了した時点からカウントを開始して所定時間ｔ４でＯＦＦとなる電圧印加不可タイマーのＯＦＦにより検出しても良いものとする。
【００４０】
上記のように制御部７により電極部６への電圧の印加が終了した時点から所定時間ｔ４内は電極部６への電圧印加を不可とする制御を行うことで、電極部６の電解動作時間を減らすことができ、しかもこの場合、所定時間ｔ４中において給水栓３が開栓された場合には水力発電機５により制御部７の充電を行うことができ、これにより電極部６の電力不足を一層防止できる。またこの場合、上記実施形態と比して更に電極部６の電解動作時間を短くすることができるため、電極部６として前述したような陽極を銀電極としたものを用いた場合には、銀電極の消耗を更に抑えることができる。
【００４１】
なお上記した実施形態においては、家庭用配管設備をキッチンの流し台１とし、給水栓３から水が供給されるものを水槽２としたが、これに限定されるものではなく、例えば家庭用配管設備としては、洗面台や、トイレ、浴室、等であっても良いし、また給水栓３から水が供給されるものを例えば浴室の床パン等の床としても良いものとする。
【図面の簡単な説明】
【００４２】
【図１】本発明の実施の形態の一例を示す排水設備の説明図である。
【図２】同上の排水トラップを示す断面図である。
【図３】同上の要部拡大図である。
【図４】同上の電極部の動作を説明するために用いたグラフである。
【図５】異なる実施の形態の一例の排水設備を示し、電極部の動作を説明するために用いたグラフである。
【図６】従来の家庭用配管設備の一例を示す断面図である。
【図７】従来の家庭用配管設備の他例を示す断面図である。
【符号の説明】
【００４３】
１  流し台
２  水槽
３  給水栓
５  水力発電機
６  電極部
９  排水トラップ
１９  封水部
【図１】
2005133315.tif 000003
【図２】
2005133315.tif 000004
【図３】
2005133315.tif 000005
【図４】
2005133315.tif 000006
【図５】
2005133315.tif 000007
【図６】
2005133315.tif 000008
【図７】
2005133315.tif 000009